(57)【要約】【課題】一の破断接合部の破断が何らかの原因で停止した場合にも、ベントホールを所期のタイミングで開放できるエアバッグ装置を提供する。【解決手段】エアバッグ本体３２を放射状の破断接合部３９Ａ，３９Ｂ，３９Ｃで縫合する。破断接合部３９Ａ，３９Ｂ，３９Ｃは、エアバッグ本体３２の中心に対してほぼ回転対称に、かつ隣接するもの同士が円周方向で一部オーバーラップするように配置する。ベントホール３７ｂを閉塞するベントホールカバー５０を破断接合部３９Ａ，３９Ｂ，３９Ｃでエアバッグ本体３２に係止させる。エアバッグ本体３２の破断接合部３９Ａ，３９Ｂ，３９Ｃの終端部２６よりも径方向外側領域に外周膨張領域５４を設け、破断接合部３９Ａ，３９Ｂによるベントホールカバー５０の係止部５２，５３を、隣接する破断接合部の終端部２６，２６の略中間位置に配置する。【選択図】図３
2008302888.tif 000002
【特許請求の範囲】
【請求項１】
中心部側から内部に高圧ガスが供給されて膨張展開するエアバッグ本体と、
そのエアバッグ本体の内部のガスを外部に排出するベントホールと、
前記エアバッグ本体の対向する基布同士を接合する破断容易な複数の破断接合部と、
前記破断接合部によってエアバッグ本体に係止されるベントホールカバーと、を備えるエアバッグ装置において、
前記破断接合部が、径方向内側に配置される始端部から径方向外側に配置される終端部に向けて放射状に設けられるとともに、前記基布の中心に対してほぼ回転対称に、かつ隣接するもの同士が円周方向で一部オーバーラップするように配置され、
前記エアバッグ本体の破断接合部の終端部よりも径方向外側に外周膨張領域を設け、
前記破断接合部によるベントホールカバーの係止部を、隣接する破断接合部の終端部の略中間位置に配置したことを特徴とするエアバッグ装置。
【請求項２】
前記複数の破断接合部を、一の破断接合部の始端部位置と他の破断接合部の終端部位置が円周方向で略一致するように配置したことを特徴とする請求項１に記載のエアバッグ装置。
【請求項３】
略円形状の２枚の基布の外周縁部を接合して外周接合部を形成し、
この外周接合部を形成したその２枚の基布を表裏反転させて前記エアバッグ本体を構成し、
このエアバッグ本体に、終端部が前記外周接合部から径方向内側に離間して位置されるように前記複数の破断接合部を形成し、エアバッグ本体内の前記外周接合部と破断接合部の間に形成される環状空間を前記外周膨張領域としたことを特徴とする請求項１または２に記載のエアバッグ装置。
【発明の詳細な説明】
【技術分野】
【０００１】
この発明は、車両のステアリング部等に設置され、衝撃入力時に膨張展開して乗員を保護する車両のエアバッグ装置に関するものである。
【背景技術】
【０００２】
車両の衝突時等にインフレータから供給される高圧のガスでエアバッグ本体を展開するエアバッグ装置には、エアバッグ本体の内圧が過剰に上昇するのを防止するためにベントホールを設け、このベントホールをエアバッグ本体の展開途中で開放するものがある。
また、エアバッグ装置には、エアバッグ本体の膨張挙動と内圧を制御するために、展開途中で破断する破断接合部をエアバッグ本体に予め設けておき、インフレータの作動時に破断接合部が順を追って破断することによりエアバッグ本体の容積を徐々に拡大させるものがある（例えば、特許文献１参照）。
【０００３】
特許文献１に記載のエアバッグ装置は、渦巻き状に湾曲する複数の破断接合部を、エアバッグ本体の周縁部に回転対称に、かつ隣接するもの同士が円周方向で一部オーバーラップするように配置し、ベントホールを閉塞する帯状のベントホールカバーを、破断接合部の一部によってエアバッグ本体に係止させるようになっている。なお、このエアバッグ装置の場合、インフレータに接続されるガス吸入口はエアバッグ本体の中心部に配置され、インフレータが作動すると、エアバッグ本体が中心部から径方向外側に向かって膨張範囲を拡大し、その間に破断接合部を径方向内側の始端部から外側の終端部に向かって連続的に破断させる。また、ベントホールカバーは、破断接合部の始端部と終端部の途中に係止されており、エアバッグ本体の膨張が径方向外側に拡大する途中で係止が外れ、それによってベントホールを開放する。
したがって、このエアバッグ装置においては、インフレータの作動時に、破断接合部が順次破断することによってエアバッグ本体の膨張挙動と内圧を適正に制御することができるとともに、破断接合部が破断する途中でベントホールカバーの係止を解除することにより、適正タイミングでガス圧の上昇を規制することができる。
【特許文献１】特開２００６−２２４７４８号公報
【発明の開示】
【発明が解決しようとする課題】
【０００４】
しかし、この従来のエアバッグ装置の場合、インフレータの作動時に、破断接合部が径方向内側から外側に向かって破断する途中でベントホールカバーの係止が解除されるものであるため、破断接合部の破断がベントホールカバーの係止部に達する前に何らかの原因で停止してしまうと、ベントホールが所期のタイミングで開放できなくなることが懸念される。
【０００５】
そこで、この発明は、一の破断接合部の破断が何らかの原因で停止した場合にも、ベントホールを所期のタイミングで開放できるようにして、エアバッグ本体の膨張挙動と内圧を常時安定的に制御できるエアバッグ装置を提供しようとするものである。
【課題を解決するための手段】
【０００６】
上記の課題を解決する請求項１に記載の発明は、中心部側から内部に高圧ガスが供給されて膨張展開するエアバッグ本体（例えば、後述の実施形態におけるエアバッグ本体３２）と、そのエアバッグ本体の内部のガスを外部に排出するベントホール（例えば、後述の実施形態におけるベントホール３７ｂ）と、前記エアバッグ本体の対向する基布（例えば、後述の実施形態における第１基布３６および第２基布３７）同士を接合する破断容易な複数の破断接合部（例えば、後述の実施形態における破断接合部３９Ａ，３９Ｂ，３９Ｃ）と、前記破断接合部によってエアバッグ本体に係止されるベントホールカバー（例えば、後述の実施形態におけるベントホールカバー５０）と、を備えるエアバッグ装置において、前記破断接合部が、径方向内側に配置される始端部（例えば、後述の実施形態における始端部２５）から径方向外側に配置される終端部（例えば、後述の実施形態における終端部２６）に向けて放射状に設けられるとともに、前記基布の中心に対してほぼ回転対称に、かつ隣接するもの同士が円周方向で一部オーバーラップするように配置され、前記エアバッグ本体の破断接合部の終端部よりも径方向外側に外周膨張領域（例えば、後述の実施形態における外周膨張領域５４）を設け、前記破断接合部によるベントホールカバーの係止部（例えば、後述の実施形態における係止部５２，５３）を、隣接する破断接合部の終端部の略中間位置に配置したことを特徴とする。
【０００７】
これにより、エアバッグ本体の中心部側から高圧ガスが供給されると、破断接合部が始端部側から終端部側に向かって順次破断し、エアバッグ本体の膨張領域が中心部側から径方向外側に向かって次第に拡大する。そして、破断接合部が始端部側から終端部側に向かって破断していくと、その破断途中でベントホールカバーの係止が外れ、それによってベントホールが開放され、エアバッグ本体内のガスが外部に排出されるようになる。また、ベントホールカバーを係止する一の破断接合部の破断が、始端部から終端部に向かう途中においてベントホールカバーの係止部に達する前で停止した場合には、隣接する破断接合部が終端部側に向かって所定長さ破断した後に、高圧ガスがエアバッグ本体の径方向外側の外周膨張領域に急激に導入されるようになる。こうして、高圧ガスが外周膨張領域に急激に導入されると、破断を停止した上記の破断接合部が終端部側から逆にベントホールカバーの係止部方向に向かって破断するようになる。ここで、一つの破断接合部が破断を停止した後に、外周膨張領域に高圧ガスを導入し得る位置まで隣接する破断接合部が破断する長さと、破断を停止した破断接合部の終端部からベントホールカバーの係止部までの長さの和は、破断接合部の破断停止位置からベントホールカバーの係止部までの長さと等しくなる。したがって、ベントホールカバーは、破断停止が起こらなかった場合とほぼ同じタイミングで係止を解除され、ベントホールを開放することになる。
【０００８】
請求項２に記載の発明は、請求項１に記載のエアバッグ装置において、前記複数の破断接合部を、一の破断接合部の始端部位置と他の破断接合部の終端部位置が円周方向で略一致するように配置したことを特徴とする。
【０００９】
請求項３に記載の発明は、請求項１に記載のエアバッグ装置において、略円形状の２枚の基布の外周縁部を接合して外周接合部（例えば、後述の実施形態における外周接合部３８）を形成し、この外周接合部を形成したその２枚の基布を表裏反転させて前記エアバッグ本体を構成し、このエアバッグ本体に、終端部が前記外周接合部から径方向内側に離間して位置されるように前記複数の破断接合部を形成し、エアバッグ本体内の前記外周接合部と破断接合部の間に形成される環状空間を前記外周膨張領域としたことを特徴とする。
【発明の効果】
【００１０】
請求項１に記載の発明によれば、エアバッグ本体の破断接合部の終端部よりも径方向外側に外周膨張領域を設け、破断接合部によるベントホールカバーの係止部を、当該破断接合部の終端部と隣接する破断接合部の終端部との略中間位置に配置したため、当該破断接合部の始端部側からの破断が何らかの原因で停止した場合にも、その後に破断接合部を終端部側から破断させて、破断が停止しない場合とほぼ同じタイミングでベントホールカバーの係止を解除し、ベントホールを所期のタイミングで確実に開放することができる。したがって、この発明によれば、エアバッグ本体の膨張挙動と内圧を常に安定して制御することができる。
【００１１】
請求項２に記載の発明によれば、複数の破断接合部を、一の破断接合部の始端部位置と他の破断接合部の終端部位置が円周方向で略一致するように配置したことから、製造時における破断接合部の設置位置の管理が容易になるという利点がある。
【００１２】
請求項３に記載の発明によれば、略円形状の２枚の基布の外周縁部を接合し、その２枚の基布を表裏反転させてエアバッグ本体を構成するとともに、そのエアバッグ本体に複数の破断接合部を形成して、エアバッグ本体内の外周接合部と破断接合部の間に形成される環状空間によって外周膨張領域を構成するようにしたため、製造の容易な簡単な構造でありながら、始端部側からの破断接合部の破断が停止した際に破断接合部を終端部側から確実に破断させることができる。
【発明を実施するための最良の形態】
【００１３】
以下、この発明の一実施形態を図１〜図１３に基づいて説明する。なお、以下で説明する各実施形態のエアバッグ装置は、車両の運転者用にステアリング部内に格納されたエアバッグ装置の態様であるが、以下の説明において「前」「後」は、車体における前後を意味するものとする。
【００１４】
図１に示すように、運転席のシート１１の前方に配置されたステアリングホイール１２の内部に、本発明にかかるエアバッグ装置１３が収納されている。エアバッグ装置１３は、衝撃入力時に高圧ガスを発生する図示しないインフレータと、このインフレータで発生する高圧ガスの供給を受けて膨張展開するエアバッグ本体３２と、を備えて成り、通常時には、エアバッグ本体３２が折り畳まれた状態においてステアリングホイール１２の中心側のカバー内に収容されている。
【００１５】
図２に示すように、円形のエアバッグ本体３２は後側（乗員に対向する側）の第１基布３６と、その前面に重合される第２基布３７とを備え、第１基布３６と第２基布３７はその外周部を外周接合部３８で一体に縫合されている。また、外周接合部３８で相互に縫合された第１基布３６と第２基布３７は、外周接合部３８の径方向内側位置において、渦巻き状の複数の破断接合部３９Ａ，３９Ｂ，３９Ｃによってさらに縫合されている。この実施形態では渦巻き状の破断接合部３９Ａ，３９Ｂ，３９Ｃを３個としているが、４個以上であってもよい。なお、外周接合部３８はエアバッグ本体３２の膨張時に破断しないように太めの糸で強固に縫製されているが、その内側の３つの破断接合部３９Ａ，３９Ｂ，３９Ｃはエアバッグ本体３２の膨張時に容易に破断し得るように細目の糸で脆弱に縫製されている。破断接合部３９Ａ，３９Ｂ，３９Ｃについては後に詳述する。
【００１６】
また、第２基布３７には、インフレータに接続される円形のインフレータ開口３７ａと、エアバッグ本体３２の膨張時に内部のガスの一部を逃がすための円形のベントホール３７ｂとが形成されている。インフレータ開口３７ａは第２基布３７の中心位置に配置され、ベントホール３７ｂは第２基布３７の中心から偏心した位置に配置されている。インフレータ３１で発生する高圧ガスは第２基布３７の中央のインフレータ開口３７ａからエアバッグ本体３２の内部に供給される。
【００１７】
エアバッグ本体３２の内部には、膨張時に内部のガス圧を制御するベントホールカバー５０が設けられている。図２及び図３に示すように、ベントホールカバー５０は帯状のシート材によって形成され、長手方向の中央が最も幅が広く、両端に向かうにつれて幅が狭くなるように形成されている。ベントホールカバー５０の長手方向の中央領域は、ベントホール３７ｂを閉塞する閉塞部５１とされ、長手方向の両端部は、破断接合部３９Ａ，３９Ｂによって第１，第２基布３６，３７に縫合される係止部５２，５３とされている。ベントホールカバー５０は、係止部５２，５３でエアバッグ本体３２に係止されている間は中央領域でベントホール３７ｂをほぼ閉塞しており、係止部５２，５３の係止が外れると、ベントホール３７ｂを大きく開放する。
【００１８】
ここで、第１基布３６と第２基布３７を縫合する破断接合部３９Ａ，３９Ｂ，３９Ｃは、図３に示すように、両基布３６，３７の径方向内側に配置される始端部２５から径方向外側に配置される終端部２６に向けて渦巻き状に湾曲して設けられ、両基布３６，３７の周縁部に、両基布３６，３７の中心に対してほぼ回転対称に、かつ隣接するもの同士が円周方向で一部オーバーラップするように配置されている。具体的には、３つの破断接合部３９Ａ，３９Ｂ，３９Ｃは、渦巻きの長さが円周のほぼ３分の２の角度範囲の長さになるように、同サイズ・同形状に形成され、円形状の基布３６，３７の中心部を中心とする円周上に均等に配置されるとともに、隣接するもの同士が円周の３分の１強の角度範囲に亙ってオーバーラップするようになっている。したがって、３つの破断接合部３９Ａ，３９Ｂ，３９Ｃのなす湾曲は、円周上の殆どの角度範囲において内外２重に重なって配置されているが、各破断接合部３９Ａ，３９Ｂ，３９Ｃの始端部２５と終端部２６の近傍に対応する角度範囲においては３重に重なって配置されている。
【００１９】
各破断接合部３９Ａ，３９Ｂ，３９Ｃの径方向内側の始端部２５はエアバッグ本体３２の中心部を指向しており、エアバッグ本体３２の展開時に始端部２５に応力を集中させて破断接合部３９の破断開始を促進している。
【００２０】
また、各破断接合部３９Ａ，３９Ｂ，３９Ｃの径方向外側の終端部２６は、エアバッグ本体３２の外周接合部３８から径方向内側に離間した位置に配置され、エアバッグ本体３２内の外周縁部には、破断接合部３９Ａ，３９Ｂ，３９Ｃと外周接合部３８に挟まれた環状空間５４が確保されている。この環状空間５４は、内部に高圧ガスが導入されたときに容積が厚み方向に大きく拡張される外周膨張領域とされている。以下、環状空間５４については、「外周膨張領域５４」と呼ぶものとする。
なお、外周膨張領域５４は、高圧ガスが導入されたときに厚み方向に容積が大きく拡張される部分ではあるが、高圧ガスが供給されるインフレータ開口３７ａ部分とは破断接合部３９Ａ，３９Ｂ，３９Ｃの隣接する二つに挟まれた幅の狭い通路５５（図３参照。）を通して導通しているため、破断接合部３９Ａ，３９Ｂ，３９Ｃの破断が進行して通路５５が大きく開かれた後でなければ、高圧ガスが急激に流入することはない。
【００２１】
ところで、エアバッグ本体３２は、前述のように第１基布３６と第２基布３７とから形成されているが、詳細には、図６に示すように、第１基３６布と第２基布３７が重合されて、両者の外周縁部が縫合されることによって最初に外周接合部３８が形成され、その後に、図７，図８に示すように基布３６，３７の表裏が裏返される。そして、こうして形成されたエアバッグ本体３２は、内部にベントホールカバー５０が配置された後に３箇所に渦巻き状の縫合が行われ、それによって破断接合部３９Ａ，３９Ｂ，３９Ｃが形成されるとともに、ベントホールカバー５０の両端の係止部５２，５３が基布３６，３７に縫合される。このとき、各破断接合部３９Ａ，３９Ｂ，３９Ｃの終端部２６は外周接合部３８よりも径方向内側位置に設定され、その結果、エアバッグ本体３２の内部には、図３，図５に示すような環状の外周膨張領域５４が形成される。
【００２２】
この実施形態の場合、外周膨張領域５４は、図４，図５に示すように第１基布３６と第２基布３７の外周側の端縁が内向きに折り込まれ、その折り込まれた部分が外周接合部３８で縫合されるかたちで構成されていることから、エアバッグ本体３２の中心側領域に比較して厚み方向の拡大代が大きくなっている。したがって、前述のようにインフレータ開口３７ａからエアバッグ本体３２内に高圧ガスが供給され、破断接合部３９Ａ，３９Ｂ，３９Ｃの破断の進行に伴って通路５５が大きく開かれると、外周膨張領域５４を中心としたエアバッグ本体３２の膨張展開が開始される。
【００２３】
また、ベントホールカバー５０の両端の係止部５２，５３は、前述のように第１，第２基布３６，３７に破断接合部３９Ａ，３９Ｂによって係止されているが、この両係止部５２，５３は、図３に示すように、隣接する破断接合部３９Ｃ，３９Ａの終端部２６，２６の略中間位置と、破綻接合部３９Ａ，３９Ｂの終端部２６，２６の略中間位置に夫々配置されている。
【００２４】
このように構成されたエアバッグ装置１３では、車両衝突時等に所定以上の加速度等が検出されると図示しないインフレータが点火し、折り畳まれたエアバッグ本体３２が、インフレータで発生する高圧ガスを受けて膨張を開始する。こうしてエアバッグ本体３２が膨張すると、エアバッグ本体３２の膨張圧力を受けてステアリングホイール１２の前面のカバーが破断し、そこに形成された開口を通してエアバッグ本体３２が車室内に向けて膨張展開する。
【００２５】
こうして、エアバッグ本体３２が膨張展開するときには、エアバッグ本体３２を構成する第１，第２基布３６，３７が３つの渦巻き状の破断接合部３９Ａ，３９Ｂ，３９Ｃで相互に接合されていることから、エアバッグ本体３２は、一気に膨張せずに中心部側を膨張させた後に、破断接合部３９Ａ，３９Ｂ，３９Ｃの始端部２５から終端部２６に向かう破断の進行とともに徐々に膨張領域を拡大する。これにより、エアバッグ本体３２は、所期の膨張挙動をもって容積を増加させ、最終的に前後方向に略偏平な形状に展開して最大限の拘束力を発揮する。
【００２６】
また、エアバッグ本体３２の膨張展開の初期には、ベントホールカバー５０の係止部５２，５３が破断接合部３９Ａ，３９Ｂ，３９Ｃによって第１，第２基布３６，３７に係止されたままであるため、ベントホール３７ｂは、図９に示すようにベントホールカバー５０の閉塞部５１によって塞がれており、エアバッグ本体３２からのガスの漏洩が阻止されている。このため、このときエアバッグ本体３２の内圧が速やかに立ち上がり、エアバッグ本体３２の膨張展開が速やかに行われる。
【００２７】
そして、エアバッグ本体３２の膨張展開とともに破断接合部３９Ａ，３９Ｂ，３９Ｃの破断位置が終端部２６に近い設定位置まで達すると、破断接合部３９Ａ，３９Ｂの破断によってベントホールカバー５０の係止部５２，５３の支持が解除され、その結果、図１０に示すようにベントホールカバー５０の閉塞部５１がベントホール３７ｂの外部に押し出され、ベントホールカバー５０によるベントホール３７ｂの閉塞が解除される。これにより、エアバッグ本体３２内の余剰のガスがベントホール３７ｂを通して排出され、エアバッグ本体３２の内圧の過剰な上昇が防止される。したがって、この後、ベントホール３７ｂからのガス圧の排出と、破断接合部３９Ａ，３９Ｂ，３９Ｃの破断のさらなる進行により、エアバッグ本体３２の展開挙動も所望通りに制御される。
【００２８】
ところで、エアバッグ本体３２の膨張展開時に、始端部２５側から開始される破断接合部３９Ａ，３９Ｂの破断がベントホールカバー５０の係止部５２，５３に達する前に何らかの原因によって停止した場合には、次のようにしてベントホールカバー５０の係止が解除される。
【００２９】
すなわち、一方の破断接合部３９Ａを例に説明すれば、今、図１１に示すようにエアバッグ本体３２の膨張展開が開始されて、破断接合部３９Ａの破断がある位置Ｓで何らかの原因によって停止したとすると（図１１中の矢印参照。）、それ以後は残余の破断接合部３９Ｂ，３９Ｃだけが破断を継続するようになる。これにより、図１２に示すように破断接合部３９Ａに隣接する破断接合部３９Ｂの破断が設定長さＬ１だけ進行して、その破断部が破断接合部３９Ａの終端部２６の前面位置に達した後に、破断接合部３９Ａ，３９Ｂ間の通路５５の面積が急激に拡大する。これにより、エアバッグ本体３２内の外周膨張領域５４のガス圧が急増し、図１３に示すように、外周膨張領域５４が容積を拡大して破断接合部３９Ａを終端部３６側から逆に破断させるようになる。なお、図１２，図１３中、破断接合部３９Ａ，３９Ｂの破断を完了した位置には、鎖線による囲みを記載している。
したがって、このエアバッグ装置の場合、ベントホールカバー５０は破断接合部３９Ａの終端部２６側からの破断によって係止部５２の支持を解除され、ベントホール３７ｂを確実に開放するようになる。なお、ここでは説明が重複するために詳細な説明は省略するが、破断接合部３９Ｂの始端部２５側からの破断が途中で停止した場合にも、同様にしてベントホールカバー５０の係止部５３の支持が解除される。
【００３０】
また、このエアバッグ装置１３の場合、一の破断接合部３９Ａまたは３９Ｂの始端部２５側からの破断がある位置Ｓで停止した後、前述のように終端部２６側からの破断によってベントホールカバー５０の係止部５２または５３の支持が解除されまでの時間は、破断接合部３９Ａまたは３９Ｂがある位置Ｓから終端部方向に向かってそのまま破断したときの時間とほぼ同じに時間となる。
【００３１】
以下、このことを一方の破断接合部３９Ａを例にして説明する。
すなわち、このエアバッグ装置１３の場合、ベントホールカバー５０の端部の係止部５２が破断接合部３９Ｃ，３９Ａの終端部２６，２６の中間位置に配置されているため、破断接合部３９Ａの破断がある位置Ｓで停止した後に、図１２に示すように隣接する破断接合部３９Ｂが破断接合部３９Ａの終端部２６の前面に達するまでの長さＬ１と、ある位置Ｓからの破断がそのまま継続して隣接する破断接合部３９Ｃの終端部２６に対応する位置に達するまでの長さＬ１（図１４参照。）は等しく、しかも、図１３に示すように破断接合部３９Ａの終端部２６から逆向きに破断を開始してベントホールカバー５０の係止部５２に達するまでの距離Ｌ２と、破断接合部３９Ａのうちの隣接する破断接合部３９Ｃの終端部２６に対応する位置からベントホールカバー５０の係止部５２までの距離Ｌ２も等しい。したがって、破断接合部３９Ａ上のある位置Ｓからベントホールカバー５０の係止部５２までの距離Ｌ３が距離Ｌ１と距離Ｌ２の和に等しくなる（Ｌ３=Ｌ１+Ｌ２）ため、破断接合部３９Ａの破断がある位置Ｓで停止した後に終端部２６側から破断して係止部５２の支持が解除されるまでの時間と、ある位置Ｓに達した後、そのまま破断接合部３９Ａの破断が継続されて係止部５２の支持が解除されるまでの時間はほぼ等しくなる。
したがって、このエアバッグ装置１３においては、破断接合部３９Ａの破断が何らかの原因で停止した場合にも、破断停止が起こらなかった場合とほぼ同じタイミングでベントホール３７ｂを開放することができる。
【００３２】
また、このエアバッグ装置１３においては、第１基布３６と第２基布３７の外周縁部を重合状態で縫合して外周接合部３８を形成した後に表裏を反転してエアバッグ本体３２を形成し、こうして形成したエアバッグ本体３２に、終端部２６が外周接合部３８から離間するように破断接合部３９Ａ，３９Ｂ，３９Ｃを形成することによって、エアバッグ本体３２の外周縁部に環状の外周膨張領域５４を形成しているため、製造の容易な簡単な構造でありながら、破断接合部３９Ａ，３９Ｂの始端部２５側からの破断が停止したときに終端部２６側からの確実な破断を得ることができる。
【００３３】
図１４は、この発明の他の実施形態を示すものであり、上述した実施形態の図３に対応する図面である。なお、図１４において、上述した実施形態と同一部分には同一符号を付してある。
【００３４】
この実施形態のエアバッグ装置は、基本的な構成は上記の実施形態とほぼ同様であるが、エアバッグ本体３２に形成される破断接合部１３９Ａ，１３９Ｂ，１３９Ｃの始端部２５の位置が、円周方向において、他の破断接合部１３９Ａ，１３９Ｂ，１３９Ｃの終端部２６の位置と略一致するように設定されている点が異なっている。具体的には、破断接合部１３９Ａの始端部２５の位置は破断接合部１３９Ｂの終端部２６の位置と略一致し、破断接合部１３９Ｂの始端部２５の位置は破断接合部１３９Ｃの終端部２６の位置と略一致し、破断接合部１３９Ｃの始端部２５の位置は破断接合部１３９Ａの終端部２６の位置と略一致するように設定されている。
【００３５】
このエアバッグ装置は、破断接合部の始端部２５と終端部２６の位置以外は上記の実施形態と同様であるため、上記の実施形態とほぼ同様の作用と効果を得ることができるが、一の破断接合部１３９Ａ，１３９Ｂ，１３９Ｃの始端部２５の位置が、円周方向において、他の破断接合部１３９Ａ，１３９Ｂ，１３９Ｃの終端部２６の位置と略一致するように設定されているため、製造時における破断接合部１３９Ａ，１３９Ｂ，１３９Ｃの設置位置の管理が容易になる。具体的には、例えば、エアバッグ本体３２上に破断接合部１３９Ａ，１３９Ｂ，１３９Ｃを順次縫製していく場合に、周方向の位置決めを同時に行うことができる。
【００３６】
なお、この発明は上記の実施形態に限定されるものではなく、その要旨を逸脱しない範囲で種々の設計変更が可能である。例えば、上記の実施形態においては、破断接合部３９Ａ，３９Ｂ，３９Ｃや１３９Ａ，１３９Ｂ，１３９Ｃを縫製によって形成したが、破断接合部３９Ａ，３９Ｂ，３９Ｃや１３９Ａ，１３９Ｂ，１３９Ｃは織り合わせや接着などによって構成するようにしても良い。また、上記の実施形態の場合、破断接合部３９Ａ，３９Ｂ，３９Ｃや１３９Ａ，１３９Ｂ，１３９Ｃは、渦巻き状に湾曲して形成されているが、渦巻きをなす屈曲形状や、エアバッグ本体３２の中心部を中心とする法線に対して傾斜する直線形状であっても良い。
さらに、上記の実施形態では、ステアリング部内に格納されたエアバッグ装置の態様で説明したが、この発明はステアリング部内に格納するもの以外のエアバッグ装置にも適用可能である。
【図面の簡単な説明】
【００３７】
【図１】この発明の一実施形態を示すエアバッグ装置を備えた車輌の車室内を示す斜視図。
【図２】同実施形態を示すエアバッグ装置の分解斜視図。
【図３】同実施形態におけるエアバッグ本体の背面図。
【図４】同実施形態を示す図３のＢ−Ｂ断面に対応する断面図。
【図５】同実施形態を示す図３のＣ−Ｃ断面に対応する断面図。
【図６】同実施形態を示すエアバッグ本体の製造工程を示す背面図。
【図７】同実施形態を示すエアバッグ本体の製造工程を示す背面図。
【図８】同実施形態を示す図７のＤ−Ｄ断面に対応する断面図。
【図９】同実施形態を示すエアバッグ装置の膨張初期の断面図。
【図１０】同実施形態を示すエアバッグ装置の膨張後期の断面図。
【図１１】同実施形態のエアバッグ本体の膨張工程を示す背面図。
【図１２】同実施形態のエアバッグ本体の膨張工程を示す背面図。
【図１３】同実施形態のエアバッグ本体の膨張工程を示す背面図。
【図１４】この発明の他の実施形態を示すエアバッグ本体の背面図。
【符号の説明】
【００３８】
２５…始端部
２６…終端部
３２…エアバッグ本体
３６…第１基布（基布）
３７…第２基布（基布）
３７ｂ…ベントホール
３８…外周接合部
３９Ａ，３９Ｂ，３９Ｃ，１３９Ａ，１３９Ｂ，１３９Ｃ…破断接合部
５０…ベントホールカバー
５２，５３…係止部
５４…外周膨張領域
【図１】
2008302888.tif 000003
【図２】
2008302888.tif 000004
【図３】
2008302888.tif 000005
【図４】
2008302888.tif 000006
【図５】
2008302888.tif 000007
【図６】
2008302888.tif 000008
【図７】
2008302888.tif 000009
【図８】
2008302888.tif 000010
【図９】
2008302888.tif 000011
【図１０】
2008302888.tif 000012
【図１１】
2008302888.tif 000013
【図１２】
2008302888.tif 000014
【図１３】
2008302888.tif 000015
【図１４】
2008302888.tif 000016